(57)【特許請求の範囲】
【請求項１】
リールを装着した状態で釣竿が収容できるようにリール収容部（８）が備えられた竿バック本体（１）を備え、発泡材（３２）と該発泡材（３２）よりも摩耗に強い表面材（３１）とが積層状態でプレスされることにより部分的に薄肉部（１０）が形成されてなる皮部材（３０）が、前記表面材（３１）が表面となるように且つ前記リール収容部（８）を覆うように竿バッグ本体（１）に備えられ、前記リール収容部（８）には、外側に膨出した膨出部（９）が形成され、該膨出部（９）においては前記皮部材（３０）と内側の内布部材（３６）との間に空隙（３７）が形成されていることを特徴とする釣り用バッグ。
【請求項２】
前記発泡材（３２）と前記表面材（３１）とは、互い熱溶着可能な熱可塑性樹脂を備え、しかも、前記プレスを熱プレスとすることにより、互いに熱溶着により接着されてなる請求項１記載の釣り用バッグ。
【請求項３】
前記発泡材（３２）に備えられる前記熱可塑性樹脂は、エチレン酢酸ビニル共重合体又は酢酸セルロース樹脂より選ばれし少なくとも一種であり、前記表面材（３１）に備えられる熱可塑性樹脂は、塩化ビニル樹脂又はアセタール樹脂より選ばれし少なくとも一種である請求項２記載の釣り用バッグ。
【発明の詳細な説明】
【０００１】
【発明の属する技術分野】
本発明は、釣り具を収容する釣り用バッグに関し、特に、収容された釣り具の損傷防止に好適な釣り用バッグに関するものである。
【０００２】
【従来の技術】
従来、釣り人は、釣り具を釣り用バッグに収容して、釣り場に携行している。
そして、この種の釣り具を収容する釣り用バッグとしては、例えば、合成繊維からなる織り布が、袋状に形成されてなるものが用いられている。
【０００３】
【発明が解決しようとする課題】
ところで、釣り用バッグに収容される釣り具には、リールや竿の如く、比較的損傷し易いものも多いことから、上記の如き釣り用バッグでは、例えば、岩場の角に衝突させたり、落下させて地面に衝突させたりした場合には、収容された釣り具を損傷することがある。
【０００４】
また、岩場の角にぶつけた場合等には、バッグを構成する織り布が傷が付いたり、破れたりして、バッグ自信が損傷することもある。
【０００５】
一方、収容された釣り具の損傷及びバッグ自信の損傷を防止すべく、バッグを必要以上に頑丈に形成すると、バッグの変形が困難となるため、衝突時の衝撃が緩和され難く、大きな衝撃を受けた場合には、却って、バッグ自信及び釣り具を損傷することも考えられる。
【０００６】
そこで、本発明は、上記従来の問題点に鑑みなされたもので、収容された釣り具及びバッグ自信が損傷する虞の少ない釣り用バッグを提供することを課題とするものである。
【０００７】
【課題を解決するための手段】
本発明者は、上記課題を解決すべく鋭意検討した結果、下記手段によって上記課題が解決できることを見出し、本発明を完成するに至った。
即ち、上記課題を解決すべく、本発明にかかる釣り用バッグは、リールを装着した状態で釣竿が収容できるようにリール収容部が備えられた竿バック本体を備え、発泡材と該発泡材よりも摩耗に強い表面材とが積層状態でプレスされることにより部分的に薄肉部が形成されてなる皮部材が、前記表面材が表面となるように且つ前記リール収容部を覆うように竿バッグ本体に備えられ、前記リール収容部には、外側に膨出した膨出部が形成され、該膨出部においては前記皮部材と内側の内布部材との間に空隙が形成されていることを特徴とする。
【０００８】
上記構成からなる釣り用バッグにおいては、皮部材の備えられた部分が岩や壁等に衝突すると、衝突による衝撃は、薄肉部以外の部分（以下、厚肉部という場合がある。）の発泡材の優れた弾性により、衝撃は吸収緩和されることになる。
また、発泡材は、弾性に優れる反面、摩耗に対して弱いものであるが、皮部材は、発泡材よりも摩耗に強い表面材が表面となるようにバッグ本体に備えられてなるので、皮部材が岩や壁等に衝突しても、皮部材が摩耗する虞も減少する。
さらに、発泡材と表面材とは、プレスされることにより互いに強固に接着し合い、発泡材と表面材との剥離が防止されると共に、薄肉部が形成されることにより皮部材の屈曲が容易となって、衝突によって皮部材が大きな衝撃を受けた場合であっても、皮部材は、衝撃を吸収しつつ変形するため、衝撃がバッグ本体に局部的に大きく作用することも防止され、又、収容された釣り具に作用する衝撃も緩和されることになる。
尚、本発明において、摩耗に対して強いとは、摩耗強さが高いことを意味し、この摩耗強さは、ＪＩＳ  Ｌ１０９６  Ｃ法によって測定される。
【０００９】
本発明にかかる釣り用バッグにおいては、前記発泡材と前記表面材とは、互いに熱溶着可能な熱可塑性樹脂を備え、しかも、前記プレスを熱プレスとすることにより、互いに熱溶着により接着されてなるものが好ましい。
かかる構成を採用することにより、発泡材と表面材とは、溶着によってより一層強固に接着され、互いの剥離がより一層防止されて、バッグ自身の損傷がより一層防止されることになる。
【００１０】
特に、前記発泡材に備えられる前記熱可塑性樹脂が、エチレン酢酸ビニル共重合体及び酢酸セルロース樹脂より選ばれし少なくとも一種を備えてなり、前記表面材に備えられる前記熱可塑性樹脂が、塩化ビニル樹脂及びアセタール樹脂より選ばれし少なくとも一種であるものが好ましい。
エチレン酢酸ビニル共重合体及び酢酸セルロース樹脂は、弾性に極めて優れ、一方、塩化ビニル樹脂及びアセタール樹脂は、摩耗に対して強いと共にエチレン酢酸ビニル共重合体及び酢酸ビニル樹脂に溶着し易く且つ剥離しにくい為、かかる構成からなる釣り用バッグは、収容された釣り具の損傷及びバッグ自身の損傷の虞がより減少することになる。
【００１１】
【発明の実施の形態】
以下、釣り用バッグとして、竿バッグを例に取り、図面を参照しつつ説明する。
図１〜図２に示す様に、本実施形態の竿バッグは、リールを装着した状態の複数の釣竿を前記リールと共に収容可能な竿バッグ本体１が備えられてなる。
【００１２】
前記竿バッグ本体１は、可撓性を有する布体によって略角筒状に形成されてなり、一面に肩掛けベルト２と手提げ用の取っ手３が取り付けられている（図２参照）。そして、この肩掛けベルトの取り付けられた一面は、肩掛けベルト２を肩に掛けると、その一部が背中に当接することとなる背中当接面４となる。
前記布体は、バッグ本体１の表面となり且つ合成樹脂からなる防水性の外布部材と該外布部材の内周側に設けられ且つテトロン糸が平織りに織られてなる内布部材３６（図４参照）とを備えて複数層に構成されてなる。
【００１３】
また、背面５（背中当接面４と反対の面）と側面の一方との境界には、該境界に沿ってスライドファスナー１１が取り付けられてなり、前記スライドファスナー１１によって、上下方向の略全域に開口可能で且つ釣竿を横向け（釣竿の長手方向に対して略垂直方向）に収容又は取り出し可能とされている。
【００１４】
また、前記竿バッグ本体１の底部には、収容した釣竿の底抜けを防止する合成樹脂製の底キャップ７が嵌合され且つ嵌合状態で縫着されている。
更に、前記竿バッグ本体１の下部には、リールを装着した状態で釣竿が収容できるように、側面視、他の部分よりも背面５が全体的になだらかに凸出したリール収容部８が備えられている。
尚、背面５の凸出によって、リール収容部８の側面は、他の部分の側面よりも横幅（背中当接面４から背面５までの距離）が広がっている。
また、前記リール収容部８の側面には、リール収容部８の収容容積を拡大すべく、外側に膨出した膨出部９が設けられている。
【００１５】
前記リール収容部８には、前記外布部材に代えて、該外布部材よりも形状保持性に優れた厚手の皮部材３０がリール収容部８の全域を覆うように備えられている。
この皮部材３０は、エチレン酢酸ビニル共重合体からなる発泡材３２と該発泡材３２より薄手で且つ未発泡の塩化ビニル樹脂からなる表面材３１とが溶着により積層された積層体を、部分的に熱プレスすることにより、熱プレスされた部分において、発泡材３２と表面材３１が圧着され且つ熱によって十分に溶着されて、強固に接着されてなる。
しかも、熱プレスは、図３に示す如く、表面材３１側に凹部が形成されるように且つ凹部が発泡材３２まで及ぶようにプレスされて、表面材３１に凹凸が形成されている。
【００１６】
そして、凹部が形成された部分は、他の部分よりも薄肉に形成された薄肉部１０となり、他の部分が厚肉部１２となる。
この薄肉部１０は、厚肉部１２に比べて肉厚が薄く、しかも、図１及び２に示すように、連続した線状に形成されているため、皮部材３０は、薄肉部に沿って屈曲が容易となり、この屈曲により、局部的な衝撃を緩和するように変形できる構成である。
また、厚肉部１２は、プレスされていないことから、発泡材３２の十分な弾性が維持されて、衝撃吸収性に富んだ構成となっている。
従って、皮部材３０によってリール収容部８に収容されたリールは、衝突による衝撃から十分に保護されることになる。
【００１７】
前記皮部材３０は、薄肉部１０においても、自然状態（特に力を加えていない状態）では、バッグ本体１（リール収容部８）の形状が変形しない形状保持性を有する厚さに形成され、図４に示すように複数面（背中当接面４と両側面）に連続した状態で、割れ環状にバッグ本体１に備えられている。
従って、自然状態では、両側面が接近する虞も防止され、リール収容部８のスペースが維持される。
しかも、両側面においては、外面側に膨出した状態に形成されると共に膨出状態が維持されて、前記膨出部９が形成、維持されてなる。
従って、リール収容部８の収容スペースをより一層維持することができる。
また、膨出部９においては、図４に示す如く、皮部材３０と内布部材３６とが僅かに離間しており、皮部材３０と内布部材３６との間に空隙３７が形成されている。
【００１８】
さらに、側面において、前記薄肉部１０は、前記膨出部９の頂部９ａを囲む堀の如く、該頂部９ａを環状に囲むように且つ多重に設けられてなる。
【００１９】
本実施形態の竿バッグは、上記の如く構成されてなるので、以下の利点を有するものである。
例えば、上記実施形態においては、皮部材３０は、発泡材３２よりも薄手の表面材３１側に凹部が形成されるように且つ凹部が発泡材３２まで及ぶようにプレスされてなるので、表面材３１と発泡材３２とは凹凸がかみ合った状態で接着され、該表面材３１と発泡材３２との接触面積が増大することから、互いの剥離が十分に防止されることになる。
しかも、バッグ本体の表面となる表面材３１に凹凸が形成されることになり、例えば、凹凸のある地面（例えば、磯場）にバッグを置いた際に、バッグの表面材３１の凹凸と地面との凹凸が適宜かみ合って、バッグが安定するという利点を有する。
従って、不用意にバッグが海等に転落する虞も減少する。
【００２０】
また、前記リール収容部８には、外側に膨出した膨出部９が設けられてなるので、収容可能なリールの大型化及び収容可能なリール数の増大を図ることができる。
さらに、前記薄肉部１０は、膨出部９の頂部９ａを環状に囲むように且つ多重に設けられてなるので、必要に応じて膨出部９を陥没させ易くなるという利点を有する。従って、膨出部９の存在によって、竿バッグが邪魔になる虞も減少する。
また、膨出部９において、皮部材３０と内布部材３６との間に空隙３７が設けられてなるので、リールを収容した状態で、万一、膨出部９を岩や壁等に衝突させても、外布部材が衝撃を吸収しつつ空隙３７内に陥没し、内布部材３６及び内布部材３６より内側にある収容物（例えばリール）に衝撃が及び難く、収容物が傷つく虞も減少する。
【００２１】
尚、本実施形態の竿バッグは、上記の如く構成されたが、本発明にかかる釣り用バッグは、上記構成に限定されず、適宜設計変更可能である。
例えば、本実施形態においては、表面材３１は、未発泡の樹脂からなったが、本発明の釣り用バッグの表面材３１は、未発泡のものに限定されず、前記発泡材３２よりも低発泡のもの（前記発泡材３２よりも発泡量の少ないもの）であればよい。
【００２２】
さらに、厚肉部１２は、通常、部分的にプレスしないことにより形成されるが、本発明においては、薄肉部よりもプレス量を少なくすることにより形成される場合であってもよい。
【００２３】
また、上記実施形態においては、竿バッグについて説明したが、釣り用小物や仕掛け等を収容する釣り用バッグであっても本発明の意図する範囲内である。
【００２４】
【発明の効果】
以上のように、本発明にかかる釣り用バッグは、皮部材の備えられた部分が岩等に衝突しても、衝撃は発泡材によって吸収緩和され、又、プレスによって薄肉部が形成されることにより皮部材が衝撃を吸収しつつ変形するため、収容された釣り具に作用する衝撃が緩和されて、該釣り具の損傷する虞が減少するという効果を奏する。
しかも、表面材によって、皮部材の摩耗する虞が減少し、また、発泡材と表面材とはプレスされてなるので、互いに剥離する虞が防止されると共に、プレスによって薄肉部が形成されることにより、皮部材が衝撃を吸収しつつ変形するため、衝撃がバッグ本体に局部的に大きく作用することも防止され、バッグ自信が損傷する虞も減少するという効果を奏する。
【図面の簡単な説明】
【図１】一実施形態の背面側を示す斜視図。
【図２】同実施形態の背中当接面側及び側面側を示す斜視図。
【図３】同実施形態の皮部材を示す断面図。
【図４】図２のＡ−Ａ線で切断した際の皮部材を示す断面図。
【符号の説明】
１・・・バッグ本体、１０・・・薄肉部、３０・・・皮部材、３１・・・表面材、３２・・・発泡材
【図１】
0004004200.tif 000002
【図２】
0004004200.tif 000003
【図３】
0004004200.tif 000004
【図４】
0004004200.tif 000005